(57)【要約】【課題】特殊ペーパ上に印刷されたドットパターンを電子ペンで読み取ることによって特殊ペーパ上に手書きした文字や図形をデジタル化する電子ペンシステムにおいて，同一ドットパターンを有する同じ種類の特殊ペーパであってもそれぞれ別の特殊ペーパとして識別することができる特殊ペーパ管理システムおよび特殊ペーパ識別方法を提供すること。【解決手段】特殊ペーパ１０２に帳票フォームを印刷して帳票１０５を作成するとき，プリンタ１０４では，特殊ペーパ１０２のドットパターンを読み取り，同一パターンを有する特殊ペーパに対してはバーコードなどの識別マークを印刷しておく。ユーザは，電子ペン１０１を使って帳票１０５に書き込みを行うとき，上記識別マーク部分にチェックマークを記入する。電子ペン１０１では書き込み内容およびチェックマークをデジタル化して装置１０３に送信する。装置１０３内の手段１１５では，上記チェックマークのデジタル化データに基づいて元の識別マークを復元し，上記識別マークに基づいて，特殊ペーパ１０２の識別や特殊ペーパ１０２に印刷された帳票フォームの特定などを行う。【選択図】　図１
2004088676.tif 000002
【特許請求の範囲】
【請求項１】
ドットパターンが印刷された特殊ペーパと、ドットパターンを読み取って当該特殊ペーパへの書き込み内容をデジタル化する電子ペンとを利用したシステムにおいて、上記特殊ペーパに対して所定の識別マークを印刷する手段と、上記識別マーク部分に書き込んだチェックマーク図形のデジタル化データに基づいて，特殊ペーパに書き込んだ内容のデジタル化データがどの特殊ペーパに書き込まれたものであるかを識別する手段とを有することを特徴とする特殊ペーパ管理装置。
【請求項２】
ドットパターンが印刷された特殊ペーパと、ドットパターンを読み取って書き込み内容をデジタル化する電子ペンとを利用したシステムにおいて、上記特殊ペーパのドットパターンを読み取る手段と、上記読み取ったドットパターンが同一の特殊ペーパに対して所定の識別マークを印刷する手段と、上記識別マーク部分に書き込んだチェックマーク図形のデジタル化データに基づいて特殊ペーパに書き込んだ内容のデジタル化データがどの特殊ペーパに書き込まれたものであるかを識別する手段とを有することを特徴とする特殊ペーパ管理装置。
【請求項３】
用紙上に印刷されたドットパターンを電子ペンで読み取って書き込み内容をデジタル化する電子ペンと特殊ペーパを利用したシステムにおいて、上記特殊ペーパに対して所定の識別マークを印刷しておき、上記識別マーク部分に書き込んだチェックマーク図形のデジタル化データに基づいて特殊ペーパに書き込んだ内容のデジタル化データがどの特殊ペーパに書き込まれたものであるかの識別を行うことを特徴とする特殊ペーパ管理方法。
【請求項４】
ドットパターンが印刷された特殊ペーパと、ドットパターンを読み取って書き込み内容をデジタル化する電子ペンとを利用したシステムにおいて、上記特殊ペーパに対して所定の識別マークを印刷する手段と、上記特殊ペーパに対して所定の帳票フォームを印刷する手段と、上記識別マーク部分に書き込んだチェックマーク図形のデジタル化データに基づいて特殊ペーパに書き込んだ内容のデジタル化データがどの特殊ペーパに書き込まれたものであるかを識別する手段と、上記デジタル化データか書き込まれた特殊ペーパに印刷されていた帳票フォームを特定する手段と、上記特定された帳票フォーム情報と上記特殊ペーパの帳票フォーム部分に書き込んだ内容のデジタル化とに基づいて所定の文書を作成する手段ととを有することを特徴とする文書作成支援装置。
【請求項５】
ドットパターンが印刷された特殊ペーパと、ドットパターンを読み取って書き込み内容をデジタル化する電子ペンとを利用したシステムにおいて、上記特殊ペーパ上に印刷されたドットパターンと、上記特殊ペーパ上に印刷された所定の識別マークまたは上記特殊ペーパに印刷された所定の帳票フォームとの対応関係を記憶する手段とを有することを特徴とする特殊ペーパ管理装置。
【請求項６】
電子ペンにより読み取られ書き込み内容のデジタル化利用されるドットパターンが印刷された特殊ペーパであって、
所定の帳票フォーム及び
当該エリアに書き込まれた内容の電子化データにより、当該特殊ペーパに印刷された帳票フォームの識別を可能せしめる所定の帳票識別マーク
が印刷されたことを特徴とする特殊ペーパ。
【請求項７】
上記特殊ペーパに印刷された所定の識別マークは、所定の太さまたは間隔で配置された線分の集まりであるバーコードであり、上記識別手段は上記バーコード上に書き込んだチェックマーク図形のデジタル化データに基づいて上記各線分の太さまたは間隔を求めその太さまたは間隔の違いから特殊ペーパの識別を行うことを特徴とする請求項１または２に記載の特殊ペーパ管理装置。
【請求項８】
上記特殊ペーパに印刷された所定の識別マークは、所定の位置に配置された複数個のボックスの集まりであり、上記識別手段は上記ボックス内に書き込んだチェックマーク図形のデジタル化データに基づいて上記各ボックスの配置を求め、その配置の違いから特殊ペーパの識別を行うことを特徴とする請求項１または２に記載の特殊ペーパ管理装置。
【請求項９】
上記特殊ペーパに印刷された所定の識別マークは、所定の順序で並んだ数字付きボックスの集まりであり、上記識別手段は、上記ボックス内に書き込んだチェックマーク図形のデジタル化データに基づいて上記各ボックスへの書き込み順序を求め，その順序の違いから特殊ペーパの識別を行う，ことを特徴とする請求項１または２に記載の特殊ペーパ管理装置。
【請求項１０】
用紙内の位置を特定するための位置マークが印刷された特殊ペーパ及び該特殊ペーパから前記位置マークを読み取って用紙へ記入された内容を情報処理装置で処理可能な移動軌跡データにする電子ペンを利用したシステムにおいて、
前記特殊ペーパに帳票フォーマット及び所定の識別マークを印刷しておき、該識別マーク部分に記入された内容に基づいて帳票種別を判定することを特徴とする帳票管理方法。
【請求項１１】
請求項１０において、前記識別マーク部分に記入された内容に基づいて複数存在する同一帳票のうちの一を識別することを特徴とする帳票管理方法。
【請求項１２】
前記マークは隣あうドットパターンとの関係で当該用紙内の位置を特定するドットパターンであることを特徴とする請求項１０または１１の帳票管理方法。
【請求項１３】
ドットパターンと帳票フォームと帳票識別マークとが印刷された特殊ペーパと、該特殊ペーパへ記入するとともに前記ドットパターンを読み取って記入内容を電子データ化する電子ペンと、該電子ペンから受け取った電子データを記憶する電子データ入力システムであって、
前記帳票識別マーク部分への記入内容の電子データにより帳票種別を判定する手段と、
前記帳票フォーム部分に記入された電子データを、判定した帳票種別と対応付けて記憶する手段とを備えたことを特徴とする電子データ入力システム。
【請求項１４】
請求項１３の電子データ入力システムにおいて、前記判定手段は、前記帳票識別マーク部分への記入内容の電子データにより帳票種別の判定に加え、同一帳票フォームが印刷された帳票の個々を識別することを特徴とする電子データ入力システム。
【請求項１５】
請求項１３の電子データ入力システムにおいて、更に前記特殊ペーパに前記帳票識別マークを印刷する手段を備えたことを特徴とする電子データ入力システム。
【請求項１６】
請求項１５の電子データ入力システムにおいて、更に前記ドットパターンを読み取るスキャナを備え、ドットパターンが同一の電子ペーパ毎に所定の識別マークを印刷することを特徴とする電子データ入力システム。
【請求項１７】
巡回調査データ収集システム
ドットパターンが印刷された特殊ペーパと、該特殊ペーパへ記入するとともに前記ドットパターンを読み取って記入内容を電子データ化する電子ペンと、前記電子ペンから前記電子データを受け取りネットワークと通信する携帯型通信装置と、ネットワークと接続し前記携帯型通信装置を介して前記電子データを受信する計算機であって該電子ペンから受け取った電子データを記憶して巡回調査データを収集する巡回調査データ収集システム。
【請求項１８】
請求項１７の巡回調査データ収集システムにおいて、前記特殊ペーパには帳票フォームと帳票識別マークとが更に印刷され、
前記計算機は
前記帳票識別マーク部分への記入内容の電子データにより帳票種別を判定する手段と、
前記帳票フォーム部分に記入された電子データを、判定した帳票種別と対応付けて記憶する手段とを備えたことを特徴とする巡回調査データ収集システム。
【発明の詳細な説明】
【０００１】
【発明の属する技術分野】
本発明は，ペーパ上に印刷されたドットパターンを電子ペンで読み取ることによってペーパ上に手書きした文字や図形をデジタル化する技術を利用したシステムに関する。
【０００２】
【従来の技術】
手書きの文字や図形などのデータをデジタル化してパソコンやワープロなどに取り込むことを可能にする電子ペンが開発・実用化されている。このような電子ペン技術として，例えばＷＯ　０１／２６０３３号公報に記載の技術がある。この技術では，ドットパターンが印刷された特殊ペーパとを用いて、電子ペンを使って特殊ペーパ上に書き込んだ文字・図形の軌跡をベクトル化して保存・送信できる。
【０００３】
図２を用いてその仕組みについて簡単に説明する。特殊ペーパ２０２には約０．３ｍｍ格子ごとにドットパターン２１０が印刷されており，その位置は格子点から微妙にずれている。電子ペン２０１では内蔵カメラによってこのドットパターン２１０を読み込むことにより，電子ペン２０１のペン先が特殊ペーパ空間上のどの位置にいるかその絶対座標を正確に特定することができる。特殊ペーパ空間の大きさは約６千万平方キロメートルに及ぶが，この広大な特殊ペーパ空間の中から任意の６×６ドットの領域を切り出したとき，１つとして重複するものがないことが数学的に保証されている。
【０００４】
電子ペン２０１はカメラ２０３，インクカートリッジ２０４，筆圧センサ２０５，プロセッサ２０６，メモリ２０７，バッテリ２０８，ｂｌｕｅｔｏｏｔｈトランシーバ２０９を内蔵している。筆圧センサ２０５が作動しているときのみカメラ２０３は特殊ペーパのドットパターン情報を読み込み，プロセッサ２０６によってペン先の位置情報を取得する。すなわち特殊ペーパ２０２に書き込まれた文字や図形の軌跡をデジタル化して取得する。このデジタル軌跡情報はメモリ２０７上に蓄積され，あるタイミング（指定可能）でＢｌｕｅｔｏｏｔｈ仕様によるデータの送信を行う。一般には特殊ペーパ２０２上に印刷された選択ボックス２１１のいずれかをチェックすることによってデータの送信先（例えばパソコンのワープロソフトやＦＡＸ，ｅ−ｍａｉｌなど）を指定し，送信ボックス２１２をチェックすることによりデータの送信が行われる。
【０００５】
ところで、消防査察や環境監査やナース巡回検診やアンケート調査やガス・水道等のメータ検針などにおいて、調査結果報告書等の文書を作成することが必要なシステムは多い。現状これらの報告書作成業務は、巡回先において調査員が持参した何種類もの帳票に調査結果などを書き込み、それをオフィスに持ち帰ってコンピュータにキーボード入力して調査結果報告書等の文書作成を行っている。
【０００６】
【発明が解決しようとする課題】
上記従来技術では、紙に記載したデータをデジタル化するための作業が必要であり効率が悪い。巡回調査時にノートパソコン等の携帯端末を持ち歩いてその場でデジタル入力することも考えられるが、様々な場所で様々な人と応対する可能性のある巡回調査には向いていない。本発明の目的は巡回調査の効率を向上させることにある。
【０００７】
【課題を解決するための手段】
本発明では、この調査現場での書き込み作業に上記電子ペンと帳票フォームの印刷された上記特殊ペーパとを使用することにより，帳票へ実際に書き込むと同時にその手書き内容をデジタル化できるようする。この手書き内容のデジタル化データをオフィス内コンピュータに送信し，コンピュータ内において上記受信したデータに基づいて調査結果報告書等の文書を自動作成することにより，コンピュータへのデータ入力作業や文書作成作業が不要となり，業務効率が向上することになる。また巡回調査のために持ち運ぶのものは、紙（特殊ペーパ）と電子ペン及び電子ペンとネットワークとの間の通信を行なう通信制御装置（例えば携帯電話）だけでよい。
【０００８】
ところで，調査員一人につき作成される手書きデジタル化データ（ファイル）は，一般に調査を行った件数×帳票種別の数だけ存在するため，コンピュータ内で調査結果報告書等の文書を自動作成するためには，各デジタル化データがどの調査案件のどの種類の帳票に対して記入されたものであるかを識別する必要がある。
【０００９】
一つの解決策として、それぞれの帳票を異なる種類の特殊ペーパから作成する方法がある。すなわち特殊ペーパに印刷されたドットパターンを帳票ごとに異なるものを利用するることにより，デジタル化されたデータの絶対座標からそのデータがどの特殊ペーパに対して記入されたものであるかの識別が可能となる。但し、この方法のように膨大な枚数の帳票全てに対してドットパターンの異なる特殊ペーパを用いるのは，印刷コストの増加やドットパターン使用ライセンス料の増加を招くことになる。従って、同一ドットパターンを有する同じ種類の特殊ペーパを用いて各種帳票を作成する別の解決策を考慮することが望ましい。
【００１０】
そこで本発明では更に，特殊ペーパ上に印刷されたドットパターンを電子ペンで読み取ることによって特殊ペーパ上に手書きした文字や図形をデジタル化する電子ペンシステムにおいて，同一ドットパターンを有する同じ種類の特殊ペーパであってもそれぞれ別の特殊ペーパとして識別することができる特殊ペーパ管理システムおよび特殊ペーパ識別方法を提供することも目的とする。
【００１１】
また，特殊ペーパ上に印刷されたドットパターンを電子ペンで読み取ることによって特殊ペーパ上に手書きした文字や図形をデジタル化する電子ペンシステムにおいて，上記特殊ペーパより作成された多種多枚数の帳票に対して手書き記入を行った場合，そのデジタル化データがどの帳票フォームの帳票に書き込まれたものであるかを識別し，上記データとその対応する帳票フォームとに基づいて適切な電子文書を自動的に作成することができる文書作成支援システムを提供することを更に他の目的とする。
【００１２】
この目的を解決するために、本発明では、ドットパターンが印刷された特殊ペーパと、ドットパターンを読み取って書き込み内容をデジタル化する電子ペンとを利用したシステムにおいて、特殊ペーパに対して所定の識別マークを印刷しておき、上記識別マーク部分に書き込んだ内容に基づいて特殊ペーパに書き込んだ内容のデジタル化データがどの特殊ペーパに書き込まれたものであるかを識別する。
【００１３】
また、このシステムに特殊ペーパのドットパターンを読み取る手段を更に設け、読み取ったドットパターンが同一の特殊ペーパに対して所定の識別マークを印刷するようにしてもよい。
【００１４】
更に、特殊ペーパに所定の帳票フォーム及び識別マークを印刷しておき、識別マーク部分への記入内容に応じて帳票フォームを識別し、帳票フォーム部分に記入された内容の電子データを識別された帳票フォームと対応つけて格納しておけば、後の文書作成に容易に利用することができる。
【００１５】
【発明の実施の形態】
以下，本発明の位置実施例を図面を用いて詳細に説明する。ここでは，消防査察や環境監査やナース巡回検診やアンケート調査やガス・水道等のメータ検針などの巡回型調査業務において，調査員が巡回先で調査結果を帳票に書き込んだ内容をデジタル化し，上記デジタル化データに基づいて調査結果報告書等の文書を自動作成する文書作成支援システムをの例として説明する。
【００１６】
図１において，文書作成支援システム１０８は，電子ペン１０１，特殊ペーパ１０２，文書作成支援装置１０３，プリンタ装置１０４，帳票１０５，携帯電話１０６，ネットワーク１０７から構成される。電子ペン１０１は，従来技術において説明した電子ペン２０１と同じ構成要素を持つ電子ペンである。特殊ペーパ１０２は，従来技術において説明した書き込み位置特定のためのドットパターンの印刷された特殊ペーパである。この特殊ペーパ１０２の上に調査項目などの帳票フォームを印刷したものが帳票１０５である。文書作成支援装置１０３は，帳票１０５の識別管理や調査報告書等の文書作成などを行うコンピュータ装置である。プリンタ装置１０４は，印刷用紙としてセットされた特殊ペーパ１０２のドットパターンの読み取りを行うとともに，特殊ペーパ１０２に対して所定の印刷を行うスキャナ機能付きのプリンタ装置である。携帯電話１０６は，電子ペン１０１から発信されたデータを中継してネットワーク１０７に向けて送信するためのｂｌｕｅｔｏｏｔｈ対応携帯電話である。ネットワーク１０７は，公衆移動通信網や公衆固定通信網，インターネットなどによって構成されるネットワーク網である。巡回する領域がビル内等の一定のエリアであればネットワークはイントラネット等の同一または複数のＬＡＮであってよく、携帯電話が無線／優先のＬＡＮ接続装置であってよい。
【００１７】
上記文書作成支援システム１０８を用いた調査業務の大まかな流れは以下のようになる。調査員は装置１０３とプリンタ装置１０４を操作して，特殊ペーパ１０２に調査結果入力用の帳票フォームを印刷して帳票１０５を作成する。調査員は電子ペン１０１と帳票１０５を持参して巡回先に出向き，所定の調査を行った後その結果を帳票１０５に書き込んでいく。書き込まれた内容は電子ペン１０１内でデジタル化されており，調査員は上記デジタル化データを携帯電話１０６，ネットワーク１０７を経由して装置１０３に向けて送信する。装置１０３では受信した上記デジタル化データがどの帳票に書かれたものであるかを識別し，デジタル化データの文字認識処理を行うなどして調査報告書等の文書作成を行う。
【００１８】
さて図１において，装置１０３はＣＰＵ１２５、メモリ１２６、記憶装置１２７、入力装置１１８，表示装置１１９，通信装置１２０及びそれらの間のデータ通信等を制御する制御装置１２７からなる。記憶装置１２７にはＣＰＵ１２５により順次読み込まれて実行されることによりそれぞれの処理手段としての役割を果たすプログラムである６つの処理手段１１１〜１１６と４つのデータベース１２１〜１２４を保有される。帳票フォームデータベース１２１は，帳票に印刷して使用される全ての帳票フォームを格納する。特殊ペーパ情報データベース１２２は，各特殊ペーパ１０２の識別番号と各特殊ペーパ１０２に印刷した帳票フォームとの対応関係などを格納する。識別マークデータベース１２３は，同一ドットパターンを持つ同じ種類の特殊ペーパの識別番号と，各番号に対応する識別マークとを格納する。文書データベース１２４は，自動作成された調査結果報告書等の文書を格納する。
【００１９】
帳票種別受付手段１１１は，利用可能な帳票フォームを表示装置１１９に表示し，調査員の巡回調査件数や使用する帳票種別などの入力を入力装置１１８より受け付けるものである。ドットパターン読込手段１１２は，帳票として使用する特殊ペーパ１０２のドットパターンをプリンタ装置１０４から読み込み，そのパターン種別を把握するものである。識別情報割り当て手段１１３は，同一ドットパターンを持つ各特殊ペーパ１０２に対して固有の識別番号を割り当て，また各特殊ペーパ１０２に対して印刷する帳票フォームの種別を決めるものである。印刷手段１１４は，特殊ペーパ１０２に対して上記識別番号に対応した識別マークと帳票フォームとをプリンタ装置１０４を用いて印刷するものである。デジタル化データ識別手段１１５は，調査員の持つ電子ペン１０１から送信されたデジタル化データを通信装置１２０により受信し，上記デジタル化データがどの帳票に書かれたものであるかを識別するものである。文書作成手段１１６は，上記デジタル化データの文字認識を行うとともに，上記デジタル化データとそれに対応する帳票種別とに基づいて調査結果報告書等の文書を自動作成するものである。入力装置１１８は，装置１０３に対して入力を行うためのキーボード端末などである。表示装置１１９は，装置１０３内で処理されている情報や帳票・文書などの情報を表示するためのディスプレイである。通信装置１２０は，ネットワーク１０７を介して電子ペン１０１から送信されてきたデジタル化データを受信する通信装置である。
【００２０】
本実施形態では，文書作成支援システム１０８を適切に動作させることにより，本発明の目的である，同一ドットパターンを持つ同じ種類の特殊ペーパであってもそれぞれ別の特殊ペーパとして識別することを実現している。さらに，上記特殊ペーパから作成された多種多枚数の帳票に手書き記入を行った場合，そのデジタル化データとそれに対応する帳票フォームとに基づいて，適切な電子文書を自動的に作成することを実現している。以下，この動作について，図３を用いて説明する。
【００２１】
（ステップ３０１）　装置１０３の帳票種別受付手段１１１では，帳票フォームデータベース１２１に格納されている利用可能な帳票フォームの一覧を，表示装置１１９上に表示する。
【００２２】
（ステップ３０２）　調査員は，当日実施する予定の巡回調査の件数を入力装置１１８より入力し，また上記表示された帳票フォーム一覧の中から各巡回調査先において使用する帳票フォームを選択し入力装置１１８より入力する。説明の簡略化のため，本実施形態では，ｍ種類の帳票を１セットとして１巡回先当り１セット分の帳票を使用するものとし，合計ｎ件の巡回調査を行うものとする。
【００２３】
（ステップ３０３）　装置１０３の帳票種別受付手段１１１では，上記入力に基づいて帳票の必要枚数を計算する。本実施形態では，上記仮定によりｎ×ｍ枚の帳票が必要となる。帳票種別受付手段１１１は，上記算出された必要枚数ｎ×ｍ枚分の生の特殊ペーパ１０２をプリンタ装置１０４にセットするよう表示装置１１９上に表示する。
【００２４】
（ステップ３０４）　調査員は，表示装置１１９上に提示されたｎ×ｍ枚分の特殊ペーパ１０２をプリンタ装置１０４にセットし，その旨を入力装置１１８より入力する。このときセットする特殊ペーパ１０２は，全てのものが同一ドットパターンを持つ同じ種類の特殊ペーパであってもよいし，異なるドットパターンを持つ別の種類の特殊ペーパが混ざったものであってもよい。
【００２５】
（ステップ３０５）　装置１０３のドットパターン読込手段１１２では，プリンタ装置１０４を制御して上記セットされたｎ×ｍ枚の特殊ペーパ１０２のドットパターン印刷面を光学的に読み取り，各特殊ペーパ１０２のドットパターンの同一性を識別し，その結果を特殊ペーパ情報データベース１２２に記録する。ここで，特殊ペーパ情報データベース１２２の管理項目例を図４に示す。データベース１２２には，各個々の特殊ペーパ１０２ごとに，「特殊ペーパ読み込み順序」欄４０１，「ドットパターン種別」欄４０２，「同一特殊ペーパ識別番号」欄４０３，「帳票フォームセット番号」欄４０４，「帳票フォーム種別」欄４０５を用意している。ドットパターン読込手段１１２は，プリンタ装置１０４から上記ｎ×ｍ枚の特殊ペーパ１０２を読み込んだ順番を「特殊ペーパ読込順序」欄４０１に記録し，各特殊ペーパ１０２の持つドットパターンの種別を「ドットパターン種別」欄４０２に記録する。図４の例では，全部で３種類のドットパターン種別（パターン１，パターン２，パターン３）が存在するものとしている。
【００２６】
（ステップ３０６）　装置１０３の識別情報割り当て手段１１３では，同一種別の特殊ペーパ１０２に対して固有の識別番号（通し番号）を割り当て，それをデータベース１２２の「同一特殊ペーパ識別番号」欄４０３に記録する。このとき同一種別の特殊ペーパ同士で上記識別番号の数字の重複は認められないが，異なる種別の特殊ペーパ同士では識別番号の数字が重複してもかまわない。さらに識別情報割り当て手段１１３は，上記ステップ３０２において調査員によって設定されたｍ種類×ｎセット分の帳票フォームを各特殊ペーパ１０２に対して適当に割り当て，帳票フォームのセット番号（１〜ｎ）をデータベース１０２の「帳票フォームセット番号」欄４０４に記録し，帳票フォーム種別（調査票１，調査票２，…）を「帳票フォーム種別」欄４０５に記録する。
【００２７】
（ステップ３０７）　装置１０３の印刷手段１１４では，データベース１２２にアクセスして，各特殊ペーパ１０２に対して割り当てられた帳票フォームと同一特殊ペーパ識別番号とを呼び出し，さらに識別マークデータベース１２３にアクセスして，上記同一特殊ペーパ識別番号に対応する識別マークを呼び出し，プリンタ１０４を制御して各特殊ペーパ１０２のドットパターン印刷面にそれぞれ対応する上記帳票フォームと上記識別マークとを印刷して帳票１０５を作成する。ここで，帳票マークデータベース１２３の管理項目例を図５に示す。データベース１２３には，「同一特殊ペーパ識別番号」欄５０１，「識別マーク」欄５０２を用意しており，欄５０１には同一特殊ペーパ識別番号（通し番号）を記録し，欄５０２には各識別番号に対応するそれぞれ表示の異なる識別マークを記録している。本実施形態では，識別マークとしてバーコード型マーク，チェックボックス型マーク，順列ボックス型マークの３種類を用意しているが，上記のいずれか１種類のみであってもかまわない。このとき，バーコード型マークとは，所定の太さ，間隔を持つ線分の集まりであり，チェックボックス型マークとは，所定の位置に表示／非表示されたボックスの集まりであり，順列ボックス型マークとは，所定の順序で並んだ１〜ＭまでのＭ個の数字付きボックスの集まりである。
【００２８】
（ステップ３０８）　調査員は，上記作成された帳票１０５を持参して巡回調査先に出向き，調査終了後，電子ペン１０１を使って帳票１０５に調査結果の書き込みを行う。ここで，帳票１０５の外観と記入例を図６に示す。帳票１０５では，上部に識別マーク６０１ａ／ｂ／ｃが印刷され，中央部に帳票フォーム６０３が印刷され，下部には電子ペン１０１に対してデータの送信を指示する送信ボックス６０３が配置されている。図６の例では，説明を一度で済ませるため上記３種類の識別マーク全てを印刷したものとしているが，実際の利用の際にはいずれか１種類の識別マークでよい。但し、識別マークの印刷位置を特殊ペーパが使用するドットパターン領域のうちの所定の場所に決めておく必要がある。なお、バーコードの印刷に関しては、印刷用のインキがドットパターンを覆ったら電子ペンのカメラによってドットパターンが読み取れないインキであることを要する。
【００２９】
さて調査者は，電子ペン１０１を使って，識別マーク６０１ａ／ｂ／ｃ部分にチェックマーク６０４ａ／ｂ／ｃを書き込み，帳票フォーム６０２内に調査結果６０５を書き込む。このとき，バーコード型マーク６０１ａにチェックマークを書き込むときは，バーコード全体をなぞるように一本線を引くようにしてチェックマーク６０４ａを記入する。チェックボックス型マーク６０１ｂのときは，全てのボックス内にチェックを入れるようにしてチェックマーク６０４ｂを記入する。順列ボックス型マーク６０１ｃのときは，ボックス内に書かれた数字の順番通りにボックス内にチェックを入れるようにしてチェックマーク６０４ｃを記入する。
【００３０】
（ステップ３０９）　上記帳票記入において，電子ペン１０１では，筆圧センサが作動しているときのみ，内蔵カメラ２０３により帳票１０５に印刷されているドットパターンを０．０１秒オーダの所定周期で読み取り，プロセッサ２０６によってペン先の位置情報（２次元絶対座標情報）をその書き込んだ順に取得し，メモリ２０７内に記録する。すなわち図６に示す書き込み内容６０４ａ，６０４ｂ，６０４ｃおよび６０５は，それぞれ図７に示すドットパターン絶対座標空間７０１上の座標点列データ７０４ａ，７０４ｂ，７０４ｃおよび７０５としてデジタル化され，ペン内のメモリ２０７に記録される。このとき，バーコード型マーク６０１ａに対するチェックマーク６０４ａのデジタル化については，電子ペン１０１がバーコードの線分によって塗りつぶされた部分のドットパターンを読み取れないため，図７に示すようにバーコード線分部分を含まない点線状の座標点列データ７０４ａとなる。　またところで，帳票１０５の書き込み領域に対しては，そのドットパターン種別に応じて，空間７０１上にそれぞれ異なるエリア７０２，７０３を対応付けるように印刷される。そのため，帳票１０５に書き込んだ内容のデジタル化データの絶対座標値から，帳票１０５のドットパターン種別を識別できるようになっている。
【００３１】
（ステップ３１０）　調査員は，帳票１０５への調査結果の書き込み終了後，最後に電子ペン１０１を使って帳票１０５内の送信ボックス６０３内にチェックマーク６０６を書き込む。調査員は，ｎ×ｍ枚の全ての帳票１０５に対してこの作業を繰り返す。
【００３２】
（ステップ３１１）　電子ペン１０１では，送信ボックス６０３への上記書き込みによって，内蔵カメラ２０３により送信ボックス６０３内の特殊なドットパターンを読み取る。このアクションをトリガーとして，電子ペン１０１では，内蔵メモリ２０７内に記録したデジタル化データを，ｂｌｕｅｔｏｏｔｈトランシーバ２０９から装置１０３に向けて送信する。１帳票分のデジタル化データが１ファイルとなり，調査員１人につき合計ｎ×ｍ個のファイルが送信されることになる。送信されたデータは，ｂｌｕｅｔｏｏｔｈ対応携帯電話レシーバ１０６およびネットワーク１０７を介して装置１０３に到達する。
【００３３】
（ステップ３１２）　装置１０３のデジタル化データ識別手段１１５では，電子ペン１０１より送信された合計ｎ×ｍ個のデジタル化データファイルを通信装置１２０により受信する。そして，図７のドットパターン絶対座標空間７０１上に示す特殊ペーパ１０２のドットパターン種別と対応エリアとの関係に基づいて，各データファイルのデータの絶対座標値から，そのデータが書き込まれた帳票１０５のドットパターン種別を識別する。また各データファイルのデジタル化データ７０４ａ／ｂ／ｃに基づいて，そのデータが書き込まれた帳票１０５の持つ識別マーク６０１ａ／ｂ／ｃの形状を復元する。例えば，帳票１０５の識別マークがマークシート型マークのときは，デジタル化データ７０４ａからバーコードを構成する各線分の太さや間隔を求め，それに基づいてバーコードの形状を復元する。識別マークがチェックボックス型マークのときは，デジタル化データ７０４ｂからチェックボックスを構成するボックスの位置や個数を求め，それに基づいてチェックボックスの配置を復元する。識別マークが順列ボックス型マークのときは，デジタル化データ７０４ｃから順列ボックスを構成するボックスの書き込み順序を求め，それに基づいて順列ボックスの並びを復元する。
【００３４】
そしてデジタル化データ識別手段１１５では，各個別のデータファイルそれぞれに対して，識別マークデータベース１２３にアクセスして，上記復元された識別マーク６０１ａ／ｂ／ｃから上記各データが書き込まれた帳票１０５の同一特殊ペーパ識別番号を求め，また特殊ペーパ情報データベース１２２にアクセスして，上記求められたドットパターン種別と同一特殊ペーパ識別番号とから，上記各データが書き込まれた帳票１０５の帳票フォーム名称と帳票フォームセット番号とを割り出す。
【００３５】
（ステップ３１３）　上記ステップ３１２までの処理によって，ｍ種類×ｎセット分の帳票それぞれに対して，その書き込み内容のデジタル化データが求められていることになる。装置１０３の文書作成手段１１６では，上記デジタル化データの調査結果内容に相当する部分７０５の文字認識処理を行い，同じ帳票フォームセット番号を持つｍ枚の帳票のデジタル化データを一まとめにしてデータの取捨選択・マージなどを行い，巡回調査先１件１件ごとの調査結果報告書を作成する。最後に文書作成手段１１６では，再利用可能なように上記自動作成された調査結果報告書を文書データベース１２４に記録する。
【００３６】
以上のようにして，文書作成支援システム１０８が適切に動作して，本発明の目的である，同一ドットパターンを持つ同じ種類の特殊ペーパであってもそれぞれ別の特殊ペーパとして識別することが実現される。さらに，上記特殊ペーパから作成された多種多枚数の帳票に手書き記入を行った場合，そのデジタル化データと対応する帳票フォームとに基づいて，適切な電子文書を自動的に作成することが実現される。すなわち，上記ステップ３０６，３０７により，同一ドットパターンを持つ特殊ペーパに対して識別マークを割り当てて印刷し，上記ステップ３１２により，上記識別マーク部分に書き込んだチェックマークのデジタル化データから元の識別マークを復元しているため，それぞれ別の特殊ペーパとして識別することが可能となる。また，上記ステップ３１２により，各デジタル化データが書き込まれた帳票の帳票フォーム名称と帳票フォームセット番号とを割り出し，上記ステップ３１３により，帳票フォームセット番号ごとにデータの文字認識，マージ，取捨選択などを行っているため，各デジタル化データごとの帳票フォームを考慮した文書自動作成が可能となる。
【００３７】
【発明の効果】
本発明によれば，特殊ペーパ上に印刷されたドットパターンを電子ペンで読み取ることによって特殊ペーパ上に手書きした文字や図形をデジタル化する電子ペンシステムにおいて，同一ドットパターンを有する同じ種類の特殊ペーパであってもそれぞれ別の特殊ペーパとして識別できるようになるため，異なるドットパターンを有する特殊ペーパを使用する識別方法に比べて，特殊ペーパの印刷コストやドットパターン使用ライセンス料を安く済ませることが可能となる。
【００３８】
また本発明によれば，特殊ペーパ上に印刷されたドットパターンを電子ペンで読み取ることによって特殊ペーパ上に手書きした文字や図形をデジタル化する電子ペンシステムにおいて，特殊ペーパに書き込んだ内容のデジタル化データと，その特殊ペーパに印刷された帳票フォームとに基づいて適切な文書作成が可能となるため，文書作成業務の効率化を図ることが可能となる。
【図面の簡単な説明】
【図１】本発明の文書作成支援システムの一実施例のシステム構成を示す図である。
【図２】文書作成支援システムで用いる電子ペンと特殊ペーパの仕組みを示す図である。
【図３】文書作成支援システムの処理フローを示す図である。
【図４】文書作成支援装置内の特殊ペーパ情報データベースのフォーマットの一例を示す。
【図５】文書作成支援装置内の識別マークデータベースのフォーマットの一例を示す。
【図６】巡回調査先にて使用される帳票の印刷イメージと記入例を示す。
【図７】特殊ペーパに書き込んだ内容のデジタル化データ（座標点列データ）とドットパターン絶対座標空間との関係を示す図である。
【符号の説明】
１０１…電子ペン，１０２…特殊ペーパ，１０３…文書作成支援装置，１０４…プリンタ装置，１０５…帳票，１０６…携帯電話，１０７…ネットワーク，１０８…文書作成支援システム，１１１…帳票種別受付手段，１１２…ドットパターン読込手段，１１３…識別情報割り当て手段，１１４…印刷手段，１１５…デジタル化データ識別手段，１１６…文書作成手段，１１８…入力装置，１１９…表示装置，１２０…通信装置，１２１…帳票フォームデータベース，１２２…特殊ペーパ情報データベース，１２３…識別マークデータベース，１２４…文書データベース。
【図１】
2004088676.tif 000003
【図２】
2004088676.tif 000004
【図３】
2004088676.tif 000005
【図４】
2004088676.tif 000006
【図５】
2004088676.tif 000007
【図６】
2004088676.tif 000008
【図７】
2004088676.tif 000009